(57)【要約】【課題】ディスク装置において光ディスクの排出を外部から強制的に操作できる機能を備え、且つ、その操作には使用者の光ディスクの排出を作為的に行うという明瞭な認識にもとづくときのみ可能となるようにしたもので、かかる認識を強要することのできる構成とし、特に情報の記録中における安全性を向上したディスク装置を提供する。【解決手段】光ディスクＤを装填してドライブし、この光ディスクＤによる情報の記録または再生を可能とするようにしたディスク装置１において、装填された光ディスクＤの排出を司る機構Ｃを外部から操作できるようにした第１の解除手段と第２の解除手段とを備え、第１の解除手段の操作により装填された光ディスクＤを強制的に排出する第２の解除手段の操作が可能となるようにする。【選択図】      図１
2004310813.tif 000002
【特許請求の範囲】
【請求項１】
光ディスクを装填してドライブし、この光ディスクによる情報の記録または再生を可能とするようにしたディスク装置において、
装填された光ディスクの排出を司る機構を外部から操作できるようにした第１の解除手段と第２の解除手段とを備え、第１の解除手段の操作により装填された光ディスクを強制的に排出する第２の解除手段の操作が可能となるようにしたことを特徴とするディスク装置。
【請求項２】
第１の解除手段を操作したとき、光ディスクを回転しているスピンドルモータの駆動を停止するようにしたことを特徴とする請求項１記載のディスク装置。
【請求項３】
光ディスクを装填してドライブし、この光ディスクによる情報の記録または再生を可能とするようにしたスロットイン方式のディスク装置において、
光ディスクを装填／排出するためのローディングギヤユニットおよびこのローディングギヤユニットに連動するラックギヤユニットを備える一方、前記ローディングギヤユニットを外部から操作するようにした第１の解除手段と、前記ラックギヤユニットを外部から操作するようにした第２の解除手段とを備え、
前記ローディングギヤユニットを操作したとき、ラックギヤユニットの操作禁止状態が解除されるようにした特徴とするディスク装置。
【請求項４】
ローディングギヤユニットを操作したとき、ラックギヤユニットが遊動状態となり、光ディスクの排出操作が可能となるようにしたことを特徴とする請求項３記載のディスク装置。
【請求項５】
光ディスクを装填してドライブし、この光ディスクによる情報の記録または再生を可能とするようにしたディスク装置において、
装置筐体に設けられたエマージェンシー用通孔を介して外部から操作できるようにした第１、第２の解除手段を備え、該第１の解除手段の操作により光ディスクを回転させているスピンドルモータの駆動を停止させ、該第２の解除手段の操作により装填されている光ディスクを強制的に排出させることが可能な緊急排出機構を具備してなることを特徴とするディスク装置。
【発明の詳細な説明】
【０００１】
【発明の属する技術分野】
本発明は、各種コンピュータシステムなどにおいて大量の情報を記録する記録媒体としての光ディスク（例えば、ＣＤ−Ｒ／ＲＷ，ＤＶＤ−Ｒ／一ＲＷ／ＲＡＭ／十Ｒ／十ＲＷなど）をドライブするディスク装置に関する。
【０００２】
【従来の技術】
一般に、パーソナルコンピュータ（以下、パソコンという）は、光デイスクヘ情報の記録または光ディスクから情報を再生するため、この光ディスクをドライブするディスク装置を欠かすことができず、パソコン本体に内蔵するか、いわゆる外付けとしてケーブルで接続するようにしている。
【０００３】
図１３は、ディスク装置を内蔵したノート型パソコンの外観を示すもので、通常、ディスク装置１０１はパソコン本体の側部に内蔵され、スイッチ操作あるいはパソコン本体からの指令によりディスクトレイ１０２のベゼル１０３がポップアウトし、さらにパソコンの使用者がディスクトレイ１０２を引き出し、光ディスクＤを装填するようにしている。
【０００４】
図１４は、このような従来のディスク装置１０１の外観を示すもので、図１５は、このディスク装置１０１のディスクトレイ１０２の内部の構成を示したものである。ディスクトレイ１０２は光ディスクＤを収容するため浅皿状に形成されており、その中央に、直下に配したスピンドルモータ１０４の駆動軸に固定されたターンテーブル１０５が配置され、このターンテーブル１０５のクランプヘッド１０６で光ディスクの中心孔をクランプし、回転力を伝達するようにしている。
【０００５】
符号１０７はヘッドユニットであり、ディスクトレイ１０２の裏面に構成された駆動機構１０８により全体がディスクトレイ１０２の直径方向に往復動し、そのビームレンズ１０７ａから光ディスクにレーザビームが照射される。また、ディスクトレイ１０２の前端には外装を整えるためのベゼル１０３が装着されており、ディスクトレイ１０２のロード状態を解除するための押釦１０９ならびにインジケータ窓１１０が表面に臨み、ディスクトレイ１０２のロック状態を強制的に解除するため、エマージェンジニピンＰを差し込むための通孔１０３ａが形成されている。
【０００６】
このように構成されたディスクトレイ１０２は、その両側がガイドレール１１１により遊嵌状態で支持されており、このガイドレール１１１はシャーシケース１１２に固定された支持レールにスライド可能に支持されている。これにより、ディスクトレイ１０２はシャーシケース１１２内で前進後退し、ロード／アンロードが可能となる。
【０００７】
また、ディスクトレイ１０２がロードされ、シャーシケース１１２内の定位置で停止したとき、この状態の維持、即ち、ディスクトレイ１０２をロックする一方、このロック状態の解除、即ち、ディスクトレイ１０２をイジェクトするイジェクト／ロック機構１１３を備える。前記イジェクト／ロック機構１１３によるディスクトレイ１０２のロックは、ロックレバー１１４とシャーシケース１１２に固定されたロックピン１１５との係合によりなされるが、このロック状態を解除するイジェクトは、通常の動作においては、自己保持型ソレノイド１１６を駆動して行うようにしている（例えば、特許文献１）。
【０００８】
【特許文献１】
特願２００２−９７０７６
【０００９】
【発明が解決しようとする課題】
このように構成されたディスク装置１０１がパソコン本体に内蔵されている場合、そのディスクトレイ１０２をアンロードするためには、上述したようにパソコンからの指示または使用者による押釦１０９の操作により、イジェクト／ロック機構１１３を作動し、ロック状態の解除、即ち、イジェクトするようにしている。
【００１０】
ところが、パソコンの希な故障状態として、光ディスクをディスク装置に装填して起動したとき、パソコンが光ディスクを認識せずシステムを稼働することがある。このような状態になると使用者の押釦の操作によってもディスクトレイをアンロードさせることができず、ディスクトレイに装填した光ディスクを回収することができなくなる。また、このような不具合はディスクトレイに実装した機構系の故障によっても発生するものであり、このような緊急事態（エマージェンシー）に対応するための配慮がなされている。
【００１１】
これは、上述したようなディスクトレイのロック状態を外部から強制的に解除するようにするもので、図１５に示すように、ベゼル１０３に形成した通孔１０３ａからエマージェンシーピンＰを差し込み、ロックレバー１１４を反転させ、ロックピン１１５との係合を解除する。
【００１２】
このような外部からの強制的な操作により異常状態を回避する機能は、このようなディスク装置には必ず備えておかなければならないものである。ところが、このような非常時に対応する操作において、光ディスクをドライブしているモードが記録されている情報の再生時の場合は、その記録情報を破壊するような可能性はないのであるが、情報の記録中である場合は、情報の記録の未了、あるいは記録情報の破壊という危険に繋がることとなる。
【００１３】
ところが、上述したような構成のイジェクト／ロック機構は、ピンの一意的な操作により作動してしまうため、前記したような危険を常に内在しており、例えば、パソコンの操作の未熟または認識の乏しい使用者などが錯誤により、イジェクト／ロック機構を操作してしまう可能性があるため、このような危険を未然に回避できるようにする必要がある。
【００１４】
そこで本発明は、ディスク装置において光ディスクの排出を外部から強制的に操作できる機能を備え、且つ、その操作には使用者の光ディスクの排出を作為的に行うという明瞭な認識にもとづくときのみ可能となるようにしたもので、かかる認識を強要することのできる構成のディスク装置を提供するものである。
【００１５】
【課題を解決するための手段】
そこで本発明は、以下に述べる各手段により上記課題を解決するようにした。即ち、請求項１記載の発明では、光ディスクを装填してドライブし、この光ディスクによる情報の記録または再生を可能とするようにしたディスク装置において、装填された光ディスクの排出を司る機構を外部から操作できるようにした第１の解除手段と第２の解除手段とを備え、第１の解除手段の操作により装填された光ディスクを強制的に排出する第２の解除手段の操作が可能となるようにした。
【００１６】
請求項２記載の発明では、上記請求項１記載の発明において、第１の解除手段を操作したとき、光ディスクを回転しているスピンドルモータの回転を停止するようにした。
【００１７】
請求項３記載の発明では、光ディスクを装填してドライブし、この光ディスクによる情報の記録または再生を可能とするようにしたスロットイン方式のディスク装置において、光ディスクを装填／排出するためのローディングギヤユニットおよびこのローディングギヤユニットに連動するラックギヤユニットを備える一方、前記ローディングギヤユニットを外部から操作するようにした第１の解除手段と、前記ラックギヤユニットを外部から操作するようにした第２の解除手段とを備え、前記ローディングギヤユニットを操作したとき、ラックギヤユニットの操作禁止状態が解除されるようにする。
【００１８】
請求項４記載の発明では、上記請求項３記載の発明において、ローディングギヤユニットを操作したとき、ラックギヤユニットが遊動状態となり、光ディスクの排出操作が可能となるようにする。
【００１９】
請求項５記載の発明では、光ディスクを装填してドライブし、この光ディスクによる情報の記録または再生を可能とするようにしたディスク装置において、装置筐体に設けられたエマージェンシー用通孔を介して外部から操作できるようにした第１、第２の解除手段を備え、該第１の解除手段の操作により光ディスクを回転させているスピンドルモータの駆動を停止させ、該第２の解除手段の操作により装填されている光ディスクを強制的に排出させることが可能な緊急排出機構を具備するようにする。
【００２０】
【発明の実施の形態】
以下、本発明をスロットイン方式のディスク装置に実施した形態を図にもとづいて詳細に説明する。
【００２１】
図１は、本発明により完成したディスク装置１の外観を示す図であり、シールド状態に構成されたシャーシケース２の前端の開口部にベゼル３が固定されている。このベゼル３には光ディスクＤを挿入するスロット３ａ、およびエマージェンシー解除のための通孔３ｂ・３ｃが形成されている。また、ベゼル３には収容されている光ディスクＤの外部への排出を指示するための押釦４およびディスク装置１の動作状態を表示するためのインジケータ５を備える。
【００２２】
図２は、このディスク装置１の天板部分を除去した状態の平面図であり、その斜視図を図３に示す。同図において、シャーシケース２内にはべ一スパネル６が配設されており、その中央から斜め下方への配置状態で光ディスクＤに対する駆動系ユニットＡが設けられている。この駆動系ユニットＡは、光ディスクＤをシャーシケース２ヘロードまたはアンロードするとき光ディスクＤの中心孔をクランプまたはクランプを解除するため、垂直方向で僅かに上下動可能となるようにしたフレーム部材８が複数の緩衝支持構造９によりべ一スパネル６に連結されている。
【００２３】
前記フレーム部材８の先端には、ロードして停止した光ディスクの中心に対応する位置にクランプヘッド７が配置される。このクランプヘッド７はターンテーブル１０と一体に構成され、直下に配したスピンドルモータ１１の駆動軸に固定さており、このスピンドルモータ１１によりクランプヘッド７にクランプされた光ディスクＤが回転駆動される。
【００２４】
つぎに、符号Ｂはヘッドユニットであり、光ピックアップ１２を光ディスクＤの直径方向に往復動させるためのキャリアブロック１３に固定されており、このキャリアブロック１３は両側のガイドシャフト１４・１５に支持され、スレッドモータ１６およびギヤユニット（図示省略）により往復動される。
【００２５】
符号１７は光ディスクＤをシャーシケース２外へ送り出すための排出レバーであり、符号１８は進入してきた光ディスクＤをシャーシケース２内へ搬入するための誘引レバーである。この排出レバー１７と誘引レバー１８は、図４に示すリンク機構１９により差動的にその先端１７ａ・１８ａが揺動するように構成されており、自動的に光ディスクＤがシャーシケース２内へ搬入されるように構成されている。
【００２６】
即ち、図２に示すように光ディスクＤがベゼル３のスロット３ａから進入してくると、まず、光ディスクＤの前端部が排出レバー１７の先端１７ａに当接する。そして、さらに光ディスクＤの進入が促進されると排出レバー１７が揺動してその先端１７ａが後退するとともに、図４に示すリミットスイッチ２０が作動し、その信号にもとづいて、後述する光ディスクＤの搬送機構Ｃが駆動を開始する。
【００２７】
この状態に至ると、搬送機構Ｃの働きにより誘引レバー１８が揺動してその先端１８ａが光ディスクＤの後端部に当接し、さらに光ディスクＤをシャーシケース２内へ搬入して行くことになる。そして、図５に示すように、最終的に光ディスクＤの中心孔がクランプヘッド７と一致した位置で停止し、このクランプヘッド７の上下動により光ディスクＤの中心孔がクランプヘッド７にクランプされることになる。
【００２８】
一方、このようにしてシャーシケース２内に搬入された光ディスクＤを外部へ排出する場合は、ベゼル３の押釦４を操作するか、パソコンからの指令にもとづいて搬入時とは逆の駆動方向に搬送機構Ｃが駆動される。これにより、排出レバー１７が揺動し、その先端１７ａで図４に示す位置まで光ディスクＤを搬出する。
【００２９】
つぎに、上述した自動操作による光ディスクＤの搬入および搬出を司る搬送機構Ｃの構成を説明する。この搬送機構Ｃは、大別してローディングギヤユニットＧ１とラックギヤユニットＧ２の組み合わせにより構成されている。図６乃至図７は、ローディングギヤユニットＧ１の構成および動作態様を説明するための図である。同図において符号２１は自動操作の動力源となるローディングモータであり、このローディングモータ２１の出力軸にはウオームギヤ２２が同軸で回転するように固定去れ、このウオームギヤ２２の回転力が、ギヤベース２６に軸支されたダブルギヤ２３・２４・２５へ順次、小径ギヤから大径ギヤへ減速されながら伝達される。
【００３０】
前記ギヤ構成において、ダブルギヤ２３はウォームギヤ２２との噛合状態を解除するリリース機構を備える。これは、ダブルギヤ２３を保持しつつ上下方向にスライド可能のホルダー２７の端部２７ａが枢支ピン２８に押通され、圧縮コイルバネ２９により下方へ付勢されて軸支されていることにより、定常の状態においては、図６（Ｃ）に示すようにウォームギヤ２２とダブルギヤ２３は正常な噛合状態となる。なお、ホルダー２７のローディングモータ２１側の端部には、ドグヘッド２７ｂが形成されており、ギヤベース２６に固定されたリミットスイッチ３０のノブ３０ａを作動可能となるようにしている。
【００３１】
前記ホルダー２７の端部２７ａの下面には枢支ピン２８と同軸で軸支されたスライダー部材３１が設けられている。このスライダー部材３１の枢支ピン２８に軸支される部分には長溝３１ａが形成されており、ホルダー２７の端部２７ａと直角方向にスライド可能となるようにしている。また、このスライダー部材３１は、前端と後端との問に傾斜面３１ｂが形成されており、スライダー部材３１を前進させたとき、この傾斜面３１ｂがホルダー２７の端部２７ａを底面から押し上げ、ホルダー２７全体が上昇する。
【００３２】
スライダー部材３１の後端には枢支ピン３２に軸支される係上段部３１ｃを備えた長溝３１ｄが形成されており、さらに後端部には封止突起３１ｅを備えた作用片３１ｆが形成されている。一方、スライダー部材３１の前端部にはラックギヤユニットＧ２の動きにもとづいて起動されるリセット片３１ｇが形成されている。
【００３３】
このように一体に構成されたスライダー部材３１は、そのフック片３１ｈとギヤベース２６のフック片２６ａとの間に引張コイルバネ３３が傾斜角を備えて張設されおり、スライダー部材３１が常時後退しつつ反時計回り方向に転回するように付勢されている。
【００３４】
以上のようにスライダー部材３１が構成されていることにより、図６に示す定常状態においては、スライダー部材３１は枢支ピン２８を支点としている。この状態において、スライダー部材３１を後端部から押圧して前進させ、枢止ピン３２の位置に長溝３１ｄの係上段部３１ｃが至ると、前記引張コイルバネ３３の張力によりスライダー部材３１が枢止ピン２８を支点にして転回し、図７に示すように係上段部３１ｃと枢止ピン２８が係合してロック状態となり、その姿勢が維持されることになる。
【００３５】
つぎに、ラックギヤユニットＧ２は図８に示すように、ラック主体３４にギヤ列３４ａ・３４ｂが一体に形成されており、前記ギヤ列３４ａはローディングギヤユニットＧ１のダブルギヤ２５の小径ギヤと噛合する。したがって、ローディングモータ２１を駆動することにより、ラック主体３４はシャーシケース２内で前進または後退することになる。このようにラック主体３４を前進または後退させることにより、このラック主体３４の先端に連結されているリンク機構１９が駆動して排出レバー１７が揺動するとともに、図２に示すようにべ一スパネル６面でラック主体３４に連結されているレバー部材３５により誘引レバー１８が揺動されることになる。また、リンク機構１９が駆動すると、これと同期してフレーム部材８が上下動し、クランプヘッド７が光ディスクをクランプまたはクランプ解除する。
【００３６】
このように構成されたラック主体３４上には、このラック主体の先端部で前進後退するギヤ部材３６が遊動状態で配置され、このギヤ部材３６を押圧して前進させるため、前後にブロック３７ａ・３７ｂを備えた押圧ピン３７が配置されている。そして、前記ギヤ列３４ｂとギヤ部材３６を、ギヤフレーム３９に自由回転するように取り付けられていダブルギヤ３８に噛合させて連結されている。この場合、ダブルギヤ３８の大径ギヤ３８ａはギヤ列３４ｂの後端部に噛合し、小径ギヤ３８ｂは前記ブロック３７ｂと一体に成形されたギヤ部材３６の先端部に噛合するようにする。
【００３７】
したがって、抑圧ピン３７を介した外力によりギヤ部材３６が前進すると、ダブルギヤ３８は定位置で回転するため、ギヤ列３４ｂに大径ギヤ３８ａの回転力が伝達し、ラック主体３４が後退する。なお、符号４０は上述したローディングギヤユニットＧ１のスライダー部材３１の前端部に形成されているリセット片３１ｇを押圧する作用片であり、ローディングギヤユニットＧ１が図７に示す状態において、この作用片４０がスライダー部材３１のリセット片３１ｇを押圧すると、枢支ピン３２と係上段部３１ｃとの係合が解除されることから、図６に示す状態に復帰する。
【００３８】
本発明の要旨となる部分は以上のごとく構成されており、かかる構成において、収容されている光ディスクＤを強制的に排出する場合の手順について以下に説明する。前述したように光ディスクＤの排出は、排出レバー１７を揺動させることにより行われるが、この排出レバー１７の揺動はラック主体３４の後退により実現されるため、ベゼル３の通孔３ｃからエマージェンシーピンＰが差し込める状態でなければならない。
【００３９】
ところが、図９に示すようにローディングギヤユニットＧ１のスライダー部材３１が定常状態の位置にあるときは、その封止突起３１ｅが通孔３ｃを塞いで操作が禁止されている状態にある。したがって、この状態にあるとき、ラック主体３４を操作することはできないので、光ディスクＤを排出しようとする認識の有無にかかわらずエマージェンシーピンＰを差し込んでも、光ディスクＤを排出することができない。
【００４０】
一方、光ディスクＤを排出しようとする明確な認識にもとづく操作の場合は、図１０に示すように、まず、ベゼル３の通孔３ｂからエマージェンシーピンＰを差し込み、ローディングギヤユニットＧ１のスライダー部材３１を押圧する。これにより、スライダー部材３１が傾倒し、通孔３ｃの封止突起３１ｅによる封止状態が解除される。このとき、スライダー部材３１の傾斜面３１ｂがホルダー２７の端部２７ａを底面から押し上げるため、ウォームギヤ２２とダブルギヤ２３の噛合が解除され、ダブルギヤ２３・２４・２５は自由回転が可能な状態となる。このとき、スピンドルモータ１１が光ディスクを回転駆動している場合は、ホルダー２７のドグヘッド２７ｂが、ノブ３０ａを駆動してリミットスイッチ３０をオンとしたことに応じて、スピンドルモータ１１を停止させる。
【００４１】
このようにして、通孔３ｂからの操作を終了した後、通孔３ｂから引き抜いたエマージェンシーピンＰを通孔３ｃに差し込み、これを押し込むことにより、図１１に示すごとくギヤ部材３６が前進するのに伴いラック主体３４が後退し、これにより排出レバー１７が揺動して光ディスクＤを同図および図４に示すように排出することができる。
【００４２】
図１２は、ラックギヤユニットＧ２の作動機構の他の例を示す図であり、抑圧ピン３７の先端をリンク機構４１のリンクアーム４１ａに連結し、このリンクアーム４１ａを押圧して支軸４２を中心に時計方向回りに回転させると、リンクアーム４１ｂが支軸４３を中心に反時計方向回りに揺動する。これにより、リンクアーム４１ｂの先端がラック主体３４の端部を押圧するので、該ラック主体３４は前進し、前述の構成と同等の機能を果たすことができる。
【００４３】
【発明の効果】
以上、詳細に説明したように本発明の請求項１記載の発明によれば、第１の解除手段と第２の解除手段を備えるようにしたので、光ディスクの排出にあたり、使用者に明確な認識を与えることが可能となることから、恣意的、あるいは暖昧な認識による誤った操作を防止することができる。また、光ディスクを排出するという明瞭な認識を使用者に強要するシステムとなり、特に、情報の記録中などにおける操作の安全性を向上したディスク装置とすることができる。
【００４４】
請求項２記載の発明によれば、第１の解除手段を操作したとき、光ディスクの回転を停止して静止した状態で排出することができるので、光ディスクの損傷を防止できる。
【００４５】
請求項３乃至請求項４記載の発明によれば、光ディスクを装填／排出するためのローディングギヤユニットおよびラックギヤユニットで第１、第２の解除手段を構成するようにしたので、機構要素を最小限に留めることができ、製作コストの上昇を抑制することができる。
【００４６】
請求項５記載の発明によれば、光ディスクの回転を停止して強制的に筐体から排出するようにしたので、段階的操作により光ディスクを安全確実に筐体の外部へ排出可能となる。
【図面の簡単な説明】
【図１】本発明を実施したディスク装置の外観を示す斜視図である。
【図２】図１のディスク装置の内部構造を示す平面図である。
【図３】図１のディスク装置の内部構造を示す斜視図である。
【図４】図１のディスク装置の底面における内部構造を示す図である。
【図５】図１のディスク装置の動作状態を説明するための図である。
【図６】ローディングギヤユニットを説明するための図である。
【図７】ローディングギヤユニットの動作状態を説明するための図である。
【図８】ラックギヤユニットの構成を示す斜視図である。
【図９】エマージェンシー操作を説明するための図である。
【図１０】エマージェンシー操作を説明するための図である。
【図１１】エマージェンシー操作を説明するための図である。
【図１２】ラックギヤユニットの作動機構の他の例を示す図である。
【図１３】ノート型パソコンの外観を示す斜視図である。
【図１４】従来のディスク装置の外観を示す斜視図である。
【図１５】従来のディスク装置の底面における内部構造を示す図である。
【符号の説明】
１・・・・・・・・・ディスク装置
２・・・・・・・・・シャーシケース
３・・・・・・・・・ベゼル
３ａ・・・・・・・・スロット
３ｂ・３ｃ・・・・・通孔
４・・・・・・・・・押釦
５・・・・・・・・・インジケータ
６・・・・・・・・・べ一スパネル
７・・・・・・・・・クランプヘッド
８・・・・・・・・・フレーム部材
９・・・・・・・・・緩衝支持構造
１０・・・・・・・・ターンテーブル
１１・・・・・・・・スピンドルモータ
１２・・・・・・・・光ピックアップ
１３・・・・・・・・キャリアブロック
１４・１５・・・・・ガイドシャフト
１６・・・・・・・・スレッドモータ
１７・・・・・・・・排出レバー
１８・・・・・・・・誘引レバー
１９・・・・・・・・リンク機構
２０・・・・・・・・リミットスイッチ
２１・・・・・・・・ローディングモータ
２２・・・・・・・・ウォームギヤ
２３・２４・２５・・ダブルギヤ
２６・・・・・・・・ギヤベース
２７・・・・・・・・ホルダー
２８・・・・・・・・枢支ピン
２９・・・・・・・・圧縮コイルバネ
３０・・・・・・・・リミットスイッチ
３１・・・・・・・・スライダー部材
３２・・・・・・・・枢支ピン
３３・・・・・・・・引張コイルバネ
３４・・・・・・・・ラック主体
３５・’・・・・・・・レバー部材
３６・・・・・・・・ギヤ部材
３７・・・・・・・・押圧ピン
３８・・・・・・・・ダブルギヤ
３９・・・・・・・・ギヤフレーム
４０・・・・・・・・作用片
４１・・・・・・・・リンク機構
Ａ・・・・・・・・・駆動系ユニット
Ｂ・・・・・・・・・ヘッドユニット
Ｃ・・・・・・・・・搬送機構
Ｄ・・・・・・・・・光ディスク
Ｇ１・・・・・・・・ローディングギヤユニット
Ｇ２・・・・・・・・ラックギヤユニット
【図１】
2004310813.tif 000003
【図２】
2004310813.tif 000004
【図３】
2004310813.tif 000005
【図４】
2004310813.tif 000006
【図５】
2004310813.tif 000007
【図６】
2004310813.tif 000008
【図７】
2004310813.tif 000009
【図８】
2004310813.tif 000010
【図９】
2004310813.tif 000011
【図１０】
2004310813.tif 000012
【図１１】
2004310813.tif 000013
【図１２】
2004310813.tif 000014
【図１３】
2004310813.tif 000015
【図１４】
2004310813.tif 000016
【図１５】
2004310813.tif 000017
【手続補正書】
【提出日】平成16年1月23日(2004.1.23)
【手続補正１】
【補正対象書類名】明細書
【補正対象項目名】全文
【補正方法】変更
【補正の内容】
【特許請求の範囲】
【請求項１】光ディスクを装填してドライブし、この光ディスクによる情報の記録または再生を可能とするようにしたディスク装置において、
装填された光ディスクの排出を司る機構を外部から操作できるようにした第１の解除手段と第２の解除手段とを備え、第１の解除手段の操作により装填された光ディスクを強制的に排出する第２の解除手段の操作が可能となるようにしたことを特徴とするディスク装置。
【請求項２】第１の解除手段を操作したとき、光ディスクを回転しているスピンドルモータの駆動を停止するようにしたことを特徴とする請求項１記載のディスク装置。
【請求項３】光ディスクを装填してドライブし、この光ディスクによる情報の記録または再生を可能とするようにしたスロットイン方式のディスク装置において、
光ディスクを装填／排出するためのローディングギヤユニットおよびこのローディングギヤユニットに連動するラックギヤユニットを備える一方、前記ローディングギヤユニットを外部から操作するようにした第１の解除手段と、前記ラックギヤユニットを外部から操作するようにした第２の解除手段とを備え、
前記ローディングギヤユニットを操作したとき、ラックギヤユニットの操作禁止状態が解除されるようにした特徴とするディスク装置。
【請求項４】ローディングギヤユニットを操作したとき、ラックギヤユニットが遊動状態となり、光ディスクの排出操作が可能となるようにしたことを特徴とする請求項３記載のディスク装置。
【請求項５】光ディスクを装填してドライブし、この光ディスクによる情報の記録または再生を可能とするようにしたディスク装置において、
装置筐体に設けられたエマージェンシー用通孔を介して外部から操作できるようにした第１、第２の解除手段を備え、該第１の解除手段の操作により光ディスクを回転させているスピンドルモータの駆動を停止させ、該第２の解除手段の操作により装填されている光ディスクを強制的に排出させることが可能な緊急排出機構を具備してなることを特徴とするディスク装置。
【発明の詳細な説明】
【０００１】
【発明の属する技術分野】
本発明は、各種コンピュータシステムなどにおいて大量の情報を記録する記録媒体としての光ディスク（例えば、ＣＤ−Ｒ／ＲＷ，ＤＶＤ−Ｒ／−ＲＷ／ＲＡＭ／十Ｒ／十ＲＷなど）をドライブするディスク装置に関する。
【０００２】
【従来の技術】
一般に、パーソナルコンピュータ（以下、パソコンという）は、光デイスクヘ情報の記録または光ディスクから情報を再生するため、この光ディスクをドライブするディスク装置を欠かすことができず、パソコン本体に内蔵するか、いわゆる外付けとしてケーブルで接続するようにしている。
【０００３】
図１３は、ディスク装置を内蔵したノート型パソコンの外観を示すもので、通常、ディスク装置１０１はパソコン本体の側部に内蔵され、スイッチ操作あるいはパソコン本体からの指令によりディスクトレイ１０２のベゼル１０３がポップアウトし、さらにパソコンの使用者がディスクトレイ１０２を引き出し、光ディスクＤを装填するようにしている。
【０００４】
図１４は、このような従来のディスク装置１０１の外観を示すもので、図１５は、このディスク装置１０１のディスクトレイ１０２の内部の構成を示したものである。ディスクトレイ１０２は光ディスクＤを収容するため浅皿状に形成されており、その中央に、直下に配したスピンドルモータ１０４の駆動軸に固定されたターンテーブル１０５が配置され、このターンテーブル１０５のクランプヘッド１０６で光ディスクの中心孔をクランプし、回転力を伝達するようにしている。
【０００５】
符号１０７はヘッドユニットであり、ディスクトレイ１０２の裏面に構成された駆動機構１０８により全体がディスクトレイ１０２の直径方向に往復動し、そのビームレンズ１０７ａから光ディスクにレーザビームが照射される。また、ディスクトレイ１０２の前端には外装を整えるためのベゼル１０３が装着されており、ディスクトレイ１０２のロード状態を解除するための押釦１０９ならびにインジケータ窓１１０が表面に臨み、ディスクトレイ１０２のロック状態を強制的に解除するため、エマージェンシーピンＰを差し込むための通孔１０３ａが形成されている。
【０００６】
このように構成されたディスクトレイ１０２は、その両側がガイドレール１１１により遊嵌状態で支持されており、このガイドレール１１１はシャーシケース１１２に固定された支持レールにスライド可能に支持されている。これにより、ディスクトレイ１０２はシャーシケース１１２内で前進後退し、ロード／アンロードが可能となる。
【０００７】
また、ディスクトレイ１０２がロードされ、シャーシケース１１２内の定位置で停止したとき、この状態の維持、即ち、ディスクトレイ１０２をロックする一方、このロック状態の解除、即ち、ディスクトレイ１０２をイジェクトするイジェクト／ロック機構１１３を備える。前記イジェクト／ロック機構１１３によるディスクトレイ１０２のロックは、ロックレバー１１４とシャーシケース１１２に固定されたロックピン１１５との係合によりなされるが、このロック状態を解除するイジェクトは、通常の動作においては、自己保持型ソレノイド１１６を駆動して行うようにしている（例えば、特許文献１）。
【０００８】
【特許文献１】
特願２００２−９７０７６
【０００９】
【発明が解決しようとする課題】
このように構成されたディスク装置１０１がパソコン本体に内蔵されている場合、そのディスクトレイ１０２をアンロードするためには、上述したようにパソコンからの指示または使用者による押釦１０９の操作により、イジェクト／ロック機構１１３を作動し、ロック状態の解除、即ち、イジェクトするようにしている。
【００１０】
ところが、パソコンの希な故障状態として、光ディスクをディスク装置に装填して起動したとき、パソコンが光ディスクを認識せずにシステムを稼働することがある。このような状態になると使用者の押釦の操作によってもディスクトレイをアンロードさせることができず、ディスクトレイに装填した光ディスクを回収することができなくなる。また、このような不具合はディスクトレイに実装した機構系の故障によっても発生するものであり、このような緊急事態（エマージェンシー）に対応するための配慮がなされている。
【００１１】
これは、上述したようなディスクトレイのロック状態を外部から強制的に解除するようにするもので、図１５に示すように、ベゼル１０３に形成した通孔１０３ａからエマージェンシーピンＰを差し込み、ロックレバー１１４を反転させ、ロックピン１１５との係合を解除する。
【００１２】
このような外部からの強制的な操作により異常状態を回避する機能は、この種のディスク装置には必ず備えておかなければならないものである。ところが、このような非常時に対応する操作において、光ディスクをドライブしているモードが記録されている情報の再生時の場合は、その記録情報を破壊するような可能性はないのであるが、情報の記録中である場合は、情報の記録の未了、あるいは記録情報の破壊という危険に繋がることとなる。
【００１３】
ところが、上述したような構成のイジェクト／ロック機構は、ピンの一意的な操作により作動してしまうため、前記したような危険を常に内在しており、例えば、パソコンの操作の未熟または認識の乏しい使用者などが錯誤により、イジェクト／ロック機構を操作してしまう可能性があるため、このような危険を未然に回避できるようにする必要がある。
【００１４】
そこで本発明は、ディスク装置において光ディスクの排出を外部から強制的に操作できる機能を備え、且つ、その操作には使用者の光ディスクの排出を作為的に行うという明瞭な認識にもとづくときのみ可能となるようにしたもので、かかる認識を強要することのできる構成のディスク装置を提供するものである。
【００１５】
【課題を解決するための手段】
そこで本発明は、以下に述べる各手段により上記課題を解決するようにした。即ち、請求項１記載の発明では、光ディスクを装填してドライブし、この光ディスクによる情報の記録または再生を可能とするようにしたディスク装置において、装填された光ディスクの排出を司る機構を外部から操作できるようにした第１の解除手段と第２の解除手段とを備え、第１の解除手段の操作により装填された光ディスクを強制的に排出する第２の解除手段の操作が可能となるようにした。
【００１６】
請求項２記載の発明では、上記請求項１記載の発明において、第１の解除手段を操作したとき、光ディスクを回転しているスピンドルモータの回転を停止するようにした。
【００１７】
請求項３記載の発明では、光ディスクを装填してドライブし、この光ディスクによる情報の記録または再生を可能とするようにしたスロットイン方式のディスク装置において、光ディスクを装填／排出するためのローディングギヤユニットおよびこのローディングギヤユニットに連動するラックギヤユニットを備える一方、前記ローディングギヤユニットを外部から操作するようにした第１の解除手段と、前記ラックギヤユニットを外部から操作するようにした第２の解除手段とを備え、前記ローディングギヤユニットを操作したとき、ラックギヤユニットの操作禁止状態が解除されるようにする。
【００１８】
請求項４記載の発明では、上記請求項３記載の発明において、ローディングギヤユニットを操作したとき、ラックギヤユニットが遊動状態となり、光ディスクの排出操作が可能となるようにする。
【００１９】
請求項５記載の発明では、光ディスクを装填してドライブし、この光ディスクによる情報の記録または再生を可能とするようにしたディスク装置において、装置筐体に設けられたエマージェンシー用通孔を介して外部から操作できるようにした第１、第２の解除手段を備え、該第１の解除手段の操作により光ディスクを回転させているスピンドルモータの駆動を停止させ、該第２の解除手段の操作により装填されている光ディスクを強制的に排出させることが可能な緊急排出機構を具備するようにする。
【００２０】
【発明の実施の形態】
以下、本発明をスロットイン方式のディスク装置に実施した形態を図にもとづいて詳細に説明する。
【００２１】
図１は、本発明により完成したディスク装置１の外観を示す図であり、シールド状態に構成されたシャーシケース２の前端の開口部にベゼル３が固定されている。このベゼル３には光ディスクＤを挿入するスロット３ａ、およびエマージェンシー解除のための通孔３ｂ・３ｃが形成されている。また、ベゼル３には、収容されている光ディスクＤの外部への排出を指示するための押釦４およびディスク装置１の動作状態を表示するためのインジケータ５を備える。
【００２２】
図２は、このディスク装置１の天板部分を除去した状態の平面図であり、その斜視図を図３に示す。同図において、シャーシケース２内にはべースパネル６が配設されており、その中央から斜め下方への配置状態で光ディスクＤに対する駆動系ユニットＡが設けられている。この駆動系ユニットＡは、光ディスクＤをシャーシケース２ヘロードまたはアンロードするとき光ディスクＤの中心孔をクランプまたはクランプを解除するため、垂直方向で僅かに上下動可能となるようにしたフレーム部材８が複数の緩衝支持構造９によりべースパネル６に連結されている。
【００２３】
前記フレーム部材８の先端には、ロードして停止した光ディスクの中心に対応する位置にクランプヘッド７が配置される。このクランプヘッド７はターンテーブル１０と一体に構成され、直下に配したスピンドルモータ１１の駆動軸に固定さており、このスピンドルモータ１１によりクランプヘッド７にクランプされた光ディスクＤが回転駆動される。
【００２４】
つぎに、符号Ｂはヘッドユニットであり、光ピックアップ１２を光ディスクＤの直径方向に往復動させるためのキャリアブロック１３に固定されており、このキャリアブロック１３は両側のガイドシャフト１４・１５に支持され、スレッドモータ１６およびギヤユニット（図示省略）により往復動される。
【００２５】
符号１７は光ディスクＤをシャーシケース２外へ送り出すための排出レバーであり、符号１８は進入してきた光ディスクＤをシャーシケース２内へ搬入するための誘引レバーである。この排出レバー１７と誘引レバー１８は、図４に示すリンク機構１９により差動的にその先端１７ａ・１８ａが揺動するように構成されており、自動的に光ディスクＤがシャーシケース２内へ搬入されるように構成されている。
【００２６】
即ち、図２に示すように光ディスクＤがベゼル３のスロット３ａから進入してくると、まず、光ディスクＤの前端部が排出レバー１７の先端１７ａに当接する。そして、さらに光ディスクＤの進入が促進されると排出レバー１７が揺動してその先端１７ａが後退するとともに、図４に示すリミットスイッチ２０が作動し、その信号にもとづいて、後述する光ディスクＤの搬送機構Ｃが駆動を開始する。
【００２７】
この状態に至ると、搬送機構Ｃの働きにより誘引レバー１８が揺動してその先端１８ａが光ディスクＤの後端部に当接し、さらに光ディスクＤをシャーシケース２内へ搬入して行くことになる。そして、図５に示すように、最終的に光ディスクＤの中心孔がクランプヘッド７と一致した位置で停止し、このクランプヘッド７の上下動により光ディスクＤの中心孔がクランプヘッド７にクランプされることになる。
【００２８】
一方、このようにしてシャーシケース２内に搬入された光ディスクＤを外部へ排出する場合は、ベゼル３の押釦４を操作するか、パソコンからの指令にもとづいて搬入時とは逆の駆動方向に搬送機構Ｃが駆動される。これにより、排出レバー１７が揺動し、その先端１７ａで図４に示す位置まで光ディスクＤを搬出する。
【００２９】
つぎに、上述した自動操作による光ディスクＤの搬入および搬出を司る搬送機構Ｃの構成を説明する。この搬送機構Ｃは、大別してローディングギヤユニットＧ１とラックギヤユニットＧ２の組み合わせにより構成されている。図６乃至図７は、ローディングギヤユニットＧ１の構成および動作態様を説明するための図である。同図において符号２１は自動操作の動力源となるローディングモータであり、このローディングモータ２１の出力軸にはウオームギヤ２２が同軸で回転するように固定され、このウオームギヤ２２の回転力が、ギヤベース２６に軸支されたダブルギヤ２３・２４・２５へ順次、小径ギヤから大径ギヤへ減速されながら伝達される。
【００３０】
前記ギヤ構成において、ダブルギヤ２３はウォームギヤ２２との噛合状態を解除するリリース機構を備える。これは、ダブルギヤ２３を保持しつつ上下方向にスライド可能のホルダー２７の端部２７ａが枢支ピン２８に挿通され、圧縮コイルバネ２９により下方へ付勢されて軸支されていることにより、定常の状態においては、図６（Ｃ）に示すようにウォームギヤ２２とダブルギヤ２３は正常な噛合状態となる。なお、ホルダー２７のローディングモータ２１側の端部には、ドグヘッド２７ｂが形成されており、ギヤベース２６に固定されたリミットスイッチ３０のノブ３０ａを作動可能となるようにしている。
【００３１】
前記ホルダー２７の端部２７ａの下面には枢支ピン２８と同軸で軸支されたスライダー部材３１が設けられている。このスライダー部材３１の枢支ピン２８に軸支される部分には長溝３１ａが形成されており、ホルダー２７の端部２７ａと直角方向にスライド可能となるようにしている。また、このスライダー部材３１は、前端と後端との問に傾斜面３１ｂが形成されており、スライダー部材３１を前進させたとき、この傾斜面３１ｂがホルダー２７の端部２７ａを底面から押し上げ、ホルダー２７全体が上昇する。
【００３２】
スライダー部材３１の後端には枢支ピン３２に軸支される係止段部３１ｃを備えた長溝３１ｄが形成されており、さらに後端部には封止突起３１ｅを備えた作用片３１ｆが形成されている。一方、スライダー部材３１の前端部にはラックギヤユニットＧ２の動きにもとづいて起動されるリセット片３１ｇが形成されている。
【００３３】
このように一体に構成されたスライダー部材３１は、そのフック片３１ｈとギヤベース２６のフック片２６ａとの間に引張コイルバネ３３が傾斜角を備えて張設されており、スライダー部材３１が常時後退しつつ反時計回り方向に転回するように付勢されている。
【００３４】
以上のようにスライダー部材３１が構成されていることにより、図６に示す定常状態においては、スライダー部材３１は枢支ピン２８を支点としている。この状態において、スライダー部材３１を後端部から押圧して前進させ、枢止ピン３２の位置に長溝３１ｄの係止段部３１ｃが至ると、前記引張コイルバネ３３の張力によりスライダー部材３１が枢止ピン２８を支点にして転回し、図７に示すように係止段部３１ｃと枢止ピン２８が係合してロック状態となり、その姿勢が維持されることになる。
【００３５】
つぎに、ラックギヤユニットＧ２は図８に示すように、ラック主体３４にギヤ列３４ａ・３４ｂが一体に形成されており、前記ギヤ列３４ａはローディングギヤユニットＧ１のダブルギヤ２５の小径ギヤと噛合する。したがって、ローディングモータ２１を駆動することにより、ラック主体３４はシャーシケース２内で前進または後退することになる。このようにラック主体３４を前進または後退させることにより、このラック主体３４の先端に連結されているリンク機構１９が駆動して排出レバー１７が揺動するとともに、図２に示すようにべースパネル６面でラック主体３４に連結されているレバー部材３５により誘引レバー１８が揺動されることになる。また、リンク機構１９が駆動すると、これと同期してフレーム部材８が上下動し、クランプヘッド７が光ディスクをクランプまたはクランプ解除する。
【００３６】
このように構成されたラック主体３４上には、このラック主体の先端部で前進後退するギヤ部材３６が遊動状態で配置され、このギヤ部材３６を押圧して前進させるため、前後にブロック３７ａ・３７ｂを備えた押圧ピン３７が配置されている。そして、前記ギヤ列３４ｂとギヤ部材３６を、ギヤフレーム３９に自由回転するように取り付けられているダブルギヤ３８に噛合させて連結されている。この場合、ダブルギヤ３８の大径ギヤ３８ａはギヤ列３４ｂの後端部に噛合し、小径ギヤ３８ｂは前記ブロック３７ｂと一体に成形されたギヤ部材３６の先端部に噛合するようにする。
【００３７】
したがって、押圧ピン３７を介した外力によりギヤ部材３６が前進すると、ダブルギヤ３８は定位置で回転するため、ギヤ列３４ｂに大径ギヤ３８ａの回転力が伝達し、ラック主体３４が後退する。なお、符号４０は上述したローディングギヤユニットＧ１のスライダー部材３１の前端部に形成されているリセット片３１ｇを押圧する作用片であり、ローディングギヤユニットＧ１が図７に示す状態において、この作用片４０がスライダー部材３１のリセット片３１ｇを押圧すると、枢支ピン３２と係止段部３１ｃとの係合が解除されることから、図６に示す状態に復帰する。
【００３８】
本発明の要旨となる部分は以上のごとく構成されており、かかる構成において、収容されている光ディスクＤを強制的に排出する場合の手順について以下に説明する。前述したように光ディスクＤの排出は、排出レバー１７を揺動させることにより行われるが、この排出レバー１７の揺動はラック主体３４の後退により実現されるため、ベゼル３の通孔３ｃからエマージェンシーピンＰが差し込める状態でなければならない。
【００３９】
ところが、図９に示すようにローディングギヤユニットＧ１のスライダー部材３１が定常状態の位置にあるときは、その封止突起３１ｅが通孔３ｃを塞いで操作が禁止されている状態にある。したがって、この状態にあるとき、ラック主体３４を操作することはできないので、光ディスクＤを排出しようとする使用者の認識の有無にかかわらずエマージェンシーピンＰを差し込んでも、光ディスクＤを排出することができない。
【００４０】
一方、光ディスクＤを排出しようとする明確な認識にもとづく操作の場合は、図１０に示すように、まず、ベゼル３の通孔３ｂからエマージェンシーピンＰを差し込み、ローディングギヤユニットＧ１のスライダー部材３１を押圧する。これにより、スライダー部材３１が傾倒し、通孔３ｃの封止突起３１ｅによる封止状態が解除される。このとき、スライダー部材３１の傾斜面３１ｂがホルダー２７の端部２７ａを底面から押し上げるため、ウォームギヤ２２とダブルギヤ２３の噛合が解除され、ダブルギヤ２３・２４・２５は自由回転が可能な状態となる。このとき、スピンドルモータ１１が光ディスクを回転駆動している場合は、ホルダー２７のドグヘッド２７ｂが、ノブ３０ａを駆動してリミットスイッチ３０をオンとしたことに応じて、スピンドルモータ１１を停止させる。
【００４１】
このようにして、通孔３ｂからの操作を終了した後、通孔３ｂから引き抜いたエマージェンシーピンＰを通孔３ｃに差し込み、これを押し込むことにより、図１１に示すごとくギヤ部材３６が前進するのに伴いラック主体３４が後退し、これにより排出レバー１７が揺動して光ディスクＤを同図および図４に示すように排出することができる。
【００４２】
図１２は、ラックギヤユニットＧ２の作動機構の他の例を示す図であり、押圧ピン３７の先端をリンク機構４１のリンクアーム４１ａに連結し、このリンクアーム４１ａを押圧して支軸４２を中心に時計方向回りに回転させると、リンクアーム４１ｂが支軸４３を中心に反時計方向回りに揺動する。これにより、リンクアーム４１ｂの先端がラック主体３４の端部を押圧するので、該ラック主体３４は前進し、前述の構成と同等の機能を果たすことができる。
【００４３】
【発明の効果】
以上、詳細に説明したように本発明の請求項１記載の発明によれば、第１の解除手段と第２の解除手段を備えるようにしたので、光ディスクの排出にあたり、使用者に明確な認識を与えることが可能となることから、恣意的、あるいは暖昧な認識による誤った操作を防止することができる。また、光ディスクを排出するという明瞭な認識を使用者に強要するシステムとなり、特に、情報の記録中などにおける安全性を向上したディスク装置とすることができる。
【００４４】
請求項２記載の発明によれば、第１の解除手段を操作したとき、光ディスクの回転を停止して静止した状態で排出することができるので、光ディスクの損傷を防止できる。
【００４５】
請求項３乃至請求項４記載の発明によれば、光ディスクを装填／排出するためのローディングギヤユニットおよびラックギヤユニットで第１、第２の解除手段を構成するようにしたので、機構要素を最小限に留めることができ、製作コストの上昇を抑制することができる。
【００４６】
請求項５記載の発明によれば、光ディスクの回転を停止して強制的に筐体から排出するようにしたので、段階的操作により光ディスクを安全確実に筐体の外部へ排出可能となる。
【図面の簡単な説明】
【図１】本発明を実施したディスク装置の外観を示す斜視図である。
【図２】図１のディスク装置の内部構造を示す平面図である。
【図３】図１のディスク装置の内部構造を示す斜視図である。
【図４】図１のディスク装置の底面における内部構造を示す図である。
【図５】図１のディスク装置の動作状態を説明するための図である。
【図６】ローディングギヤユニットを説明するための図である。
【図７】ローディングギヤユニットの動作状態を説明するための図である。
【図８】ラックギヤユニットの構成を示す斜視図である。
【図９】エマージェンシー操作を説明するための図である。
【図１０】エマージェンシー操作を説明するための図である。
【図１１】エマージェンシー操作を説明するための図である。
【図１２】ラックギヤユニットの作動機構の他の例を示す図である。
【図１３】ノート型パソコンの外観を示す斜視図である。
【図１４】従来のディスク装置の外観を示す斜視図である。
【図１５】従来のディスク装置の底面における内部構造を示す図である。
【符号の説明】
１・・・・・・・・・ディスク装置
２・・・・・・・・・シャーシケース
３・・・・・・・・・ベゼル
３ａ・・・・・・・・スロット
３ｂ・３ｃ・・・・・通孔
４・・・・・・・・・押釦
５・・・・・・・・・インジケータ
６・・・・・・・・・べースパネル
７・・・・・・・・・クランプヘッド
８・・・・・・・・・フレーム部材
９・・・・・・・・・緩衝支持構造
１０・・・・・・・・ターンテーブル
１１・・・・・・・・スピンドルモータ
１２・・・・・・・・光ピックアップ
１３・・・・・・・・キャリアブロック
１４・１５・・・・・ガイドシャフト
１６・・・・・・・・スレッドモータ
１７・・・・・・・・排出レバー
１８・・・・・・・・誘引レバー
１９・・・・・・・・リンク機構
２０・・・・・・・・リミットスイッチ
２１・・・・・・・・ローディングモータ
２２・・・・・・・・ウォームギヤ
２３・２４・２５・・ダブルギヤ
２６・・・・・・・・ギヤベース
２７・・・・・・・・ホルダー
２８・・・・・・・・枢支ピン
２９・・・・・・・・圧縮コイルバネ
３０・・・・・・・・リミットスイッチ
３１・・・・・・・・スライダー部材
３２・・・・・・・・枢支ピン
３３・・・・・・・・引張コイルバネ
３４・・・・・・・・ラック主体
３５・'・・・・・・・レバー部材
３６・・・・・・・・ギヤ部材
３７・・・・・・・・押圧ピン
３８・・・・・・・・ダブルギヤ
３９・・・・・・・・ギヤフレーム
４０・・・・・・・・作用片
４１・・・・・・・・リンク機構
Ａ・・・・・・・・・駆動系ユニット
Ｂ・・・・・・・・・ヘッドユニット
Ｃ・・・・・・・・・搬送機構
Ｄ・・・・・・・・・光ディスク
Ｇ１・・・・・・・・ローディングギヤユニット
Ｇ２・・・・・・・・ラックギヤユニット




【手続補正書】
【提出日】平成16年3月31日(2004.3.31)
【手続補正１】
【補正対象書類名】明細書
【補正対象項目名】全文
【補正方法】変更
【補正の内容】
【特許請求の範囲】
【請求項１】光ディスクを装填してドライブし、この光ディスクによる情報の記録または再生を可能とするようにしたディスク装置において、
装填された光ディスクの排出を司る機構を外部から操作できるようにした第１の解除手段と第２の解除手段とを備え、第１の解除手段の操作により装填された光ディスクを強制的に排出する第２の解除手段の操作が可能となるようにしたことを特徴とするディスク装置。
【請求項２】第１の解除手段を操作したとき、光ディスクを回転しているスピンドルモータの駆動を停止するようにしたことを特徴とする請求項１記載のディスク装置。
【請求項３】光ディスクを装填してドライブし、この光ディスクによる情報の記録または再生を可能とするようにしたスロットイン方式のディスク装置において、
光ディスクを装填／排出するためのローディングギヤユニットおよびこのローディングギヤユニットに連動するラックギヤユニットを備える一方、前記ローディングギヤユニットを外部から操作するようにした第１の解除手段と、前記ラックギヤユニットを外部から操作するようにした第２の解除手段とを備え、
前記ローディングギヤユニットを操作したとき、ラックギヤユニットの操作禁止状態が解除されるようにした特徴とするディスク装置。
【請求項４】ローディングギヤユニットを操作したとき、ラックギヤユニットが遊動状態となり、光ディスクの排出操作が可能となるようにしたことを特徴とする請求項３記載のディスク装置。
【請求項５】光ディスクを装填してドライブし、この光ディスクによる情報の記録または再生を可能とするようにしたディスク装置において、
装置筐体に設けられたエマージェンシー用通孔を介して外部から操作できるようにした第１、第２の解除手段を備え、該第１の解除手段の操作により光ディスクを回転させているスピンドルモータの駆動を停止させ、該第２の解除手段の操作により装填されている光ディスクを強制的に排出させることが可能な緊急排出機構を具備してなることを特徴とするディスク装置。
【発明の詳細な説明】
【０００１】
【発明の属する技術分野】
本発明は、各種コンピュータシステムなどにおいて大量の情報を記録する記録媒体としての光ディスク（例えば、ＣＤ−Ｒ／ＲＷ，ＤＶＤ−Ｒ／−ＲＷ／ＲＡＭ／十Ｒ／十ＲＷなど）をドライブするディスク装置に関する。
【０００２】
【従来の技術】
一般に、パーソナルコンピュータ（以下、パソコンという）は、光デイスクヘ情報の記録または光ディスクから情報を再生するため、この光ディスクをドライブするディスク装置を欠かすことができず、パソコン本体に内蔵するか、いわゆる外付けとしてケーブルで接続するようにしている。
【０００３】
図１３は、ディスク装置を内蔵したノート型パソコンの外観を示すもので、通常、ディスク装置１０１はパソコン本体の側部に内蔵され、スイッチ操作あるいはパソコン本体からの指令によりディスクトレイ１０２のベゼル１０３がポップアウトし、さらにパソコンの使用者がディスクトレイ１０２を引き出し、光ディスクＤを装填するようにしている。
【０００４】
図１４は、このような従来のディスク装置１０１の外観を示すもので、図１５は、このディスク装置１０１のディスクトレイ１０２の内部の構成を示したものである。ディスクトレイ１０２は光ディスクＤを収容するため浅皿状に形成されており、その中央に、直下に配したスピンドルモータ１０４の駆動軸に固定されたターンテーブル１０５が配置され、このターンテーブル１０５のクランプヘッド１０６で光ディスクの中心孔をクランプし、回転力を伝達するようにしている。
【０００５】
符号１０７はヘッドユニットであり、ディスクトレイ１０２の裏面に構成された駆動機構１０８により全体がディスクトレイ１０２の直径方向に往復動し、そのビームレンズ１０７ａから光ディスクにレーザビームが照射される。また、ディスクトレイ１０２の前端には外装を整えるためのベゼル１０３が装着されており、ディスクトレイ１０２のロード状態を解除するための押釦１０９ならびにインジケータ窓１１０が表面に臨み、ディスクトレイ１０２のロック状態を強制的に解除するため、エマージェンシーピンＰを差し込むための通孔１０３ａが形成されている。
【０００６】
このように構成されたディスクトレイ１０２は、その両側がガイドレール１１１により遊嵌状態で支持されており、このガイドレール１１１はシャーシケース１１２に固定された支持レールにスライド可能に支持されている。これにより、ディスクトレイ１０２はシャーシケース１１２内で前進後退し、ロード／アンロードが可能となる。
【０００７】
また、ディスクトレイ１０２がロードされ、シャーシケース１１２内の定位置で停止したとき、この状態の維持、即ち、ディスクトレイ１０２をロックする一方、このロック状態の解除、即ち、ディスクトレイ１０２をイジェクトするイジェクト／ロック機構１１３を備える。前記イジェクト／ロック機構１１３によるディスクトレイ１０２のロックは、
ロックレバー１１４とシャーシケース１１２に固定されたロックピン１１５との係合によりなされるが、このロック状態を解除するイジェクトは、通常の動作においては、自己保持型ソレノイド１１６を駆動して行うようにしている（例えば、特許文献１）。
【０００８】
【特許文献１】
特願２００２−９７０７６
【０００９】
【発明が解決しようとする課題】
このように構成されたディスク装置１０１がパソコン本体に内蔵されている場合、そのディスクトレイ１０２をアンロードするためには、上述したようにパソコンからの指示または使用者による押釦１０９の操作により、イジェクト／ロック機構１１３を作動し、ロック状態の解除、即ち、イジェクトするようにしている。
【００１０】
ところが、パソコンの希な故障状態として、光ディスクをディスク装置に装填して起動したとき、パソコンが光ディスクを認識せずにシステムを稼働することがある。このような状態になると使用者の押釦の操作によってもディスクトレイをアンロードさせることができず、ディスクトレイに装填した光ディスクを回収することができなくなる。また、このような不具合はディスクトレイに実装した機構系の故障によっても発生するものであり、このような緊急事態（エマージェンシー）に対応するための配慮がなされている。
【００１１】
これは、上述したようなディスクトレイのロック状態を外部から強制的に解除するようにするもので、図１５に示すように、ベゼル１０３に形成した通孔１０３ａからエマージェンシーピンＰを差し込み、ロックレバー１１４を反転させ、ロックピン１１５との係合を解除する。
【００１２】
このような外部からの強制的な操作により異常状態を回避する機能は、この種のディスク装置には必ず備えておかなければならないものである。ところが、このような非常時に対応する操作において、光ディスクをドライブしているモードが記録されている情報の再生時の場合は、その記録情報を破壊するような可能性はないのであるが、情報の記録中である場合は、情報の記録の未了、あるいは記録情報の破壊という危険に繋がることとなる。
【００１３】
ところが、上述したような構成のイジェクト／ロック機構は、ピンの一意的な操作により作動してしまうため、前記したような危険を常に内在しており、例えば、パソコンの操作の未熟または認識の乏しい使用者などが錯誤により、イジェクト／ロック機構を操作してしまう可能性があるため、このような危険を未然に回避できるようにする必要がある。
【００１４】
そこで本発明は、ディスク装置において光ディスクの排出を外部から強制的に操作できる機能を備え、且つ、その操作には使用者の光ディスクの排出を作為的に行うという明瞭な認識にもとづくときのみ可能となるようにしたもので、かかる認識を強要することのできる構成のディスク装置を提供するものである。
【００１５】
【課題を解決するための手段】
そこで本発明は、以下に述べる各手段により上記課題を解決するようにした。即ち、請求項１記載の発明では、光ディスクを装填してドライブし、この光ディスクによる情報の記録または再生を可能とするようにしたディスク装置において、装填された光ディスクの排出を司る機構を外部から操作できるようにした第１の解除手段と第２の解除手段とを備え、第１の解除手段の操作により装填された光ディスクを強制的に排出する第２の解除手段の操作が可能となるようにした。
【００１６】
請求項２記載の発明では、上記請求項１記載の発明において、第１の解除手段を操作したとき、光ディスクを回転しているスピンドルモータの回転を停止するようにした。
【００１７】
請求項３記載の発明では、光ディスクを装填してドライブし、この光ディスクによる情報の記録または再生を可能とするようにしたスロットイン方式のディスク装置において、
光ディスクを装填／排出するためのローディングギヤユニットおよびこのローディングギヤユニットに連動するラックギヤユニットを備える一方、前記ローディングギヤユニットを外部から操作するようにした第１の解除手段と、前記ラックギヤユニットを外部から操作するようにした第２の解除手段とを備え、前記ローディングギヤユニットを操作したとき、ラックギヤユニットの操作禁止状態が解除されるようにする。
【００１８】
請求項４記載の発明では、上記請求項３記載の発明において、ローディングギヤユニットを操作したとき、ラックギヤユニットが遊動状態となり、光ディスクの排出操作が可能となるようにする。
【００１９】
請求項５記載の発明では、光ディスクを装填してドライブし、この光ディスクによる情報の記録または再生を可能とするようにしたディスク装置において、装置筐体に設けられたエマージェンシー用通孔を介して外部から操作できるようにした第１、第２の解除手段を備え、該第１の解除手段の操作により光ディスクを回転させているスピンドルモータの駆動を停止させ、該第２の解除手段の操作により装填されている光ディスクを強制的に排出させることが可能な緊急排出機構を具備するようにする。
【００２０】
【発明の実施の形態】
以下、本発明をスロットイン方式のディスク装置に実施した形態を図にもとづいて詳細に説明する。
【００２１】
図１は、本発明により完成したディスク装置１の外観を示す図であり、シールド状態に構成されたシャーシケース２の前端の開口部にベゼル３が固定されている。このベゼル３には光ディスクＤを挿入するスロット３ａ、およびエマージェンシー解除のための通孔３ｂ・３ｃが形成されている。また、ベゼル３には、収容されている光ディスクＤの外部への排出を指示するための押釦４およびディスク装置１の動作状態を表示するためのインジケータ５を備える。
【００２２】
図２は、このディスク装置１の天板部分を除去した状態の平面図であり、その斜視図を図３に示す。同図において、シャーシケース２内にはべースパネル６が配設されており、
その中央から斜め下方への配置状態で光ディスクＤに対する駆動系ユニットＡが設けられている。この駆動系ユニットＡは、光ディスクＤをシャーシケース２ヘロードまたはアンロードするとき光ディスクＤの中心孔をクランプまたはクランプを解除するため、垂直方向で僅かに上下動可能となるようにしたフレーム部材８が複数の緩衝支持構造９によりべースパネル６に連結されている。
【００２３】
前記フレーム部材８の先端には、ロードして停止した光ディスクの中心に対応する位置にクランプヘッド７が配置される。このクランプヘッド７はターンテーブル１０と一体に構成され、直下に配したスピンドルモータ１１の駆動軸に固定さており、このスピンドルモータ１１によりクランプヘッド７にクランプされた光ディスクＤが回転駆動される。
【００２４】
つぎに、符号Ｂはヘッドユニットであり、光ピックアップ１２を光ディスクＤの直径方向に往復動させるためのキャリアブロック１３に固定されており、このキャリアブロック１３は両側のガイドシャフト１４・１５に支持され、スレッドモータ１６およびギヤユニット（図示省略）により往復動される。
【００２５】
符号１７は光ディスクＤをシャーシケース２外へ送り出すための排出レバーであり、符号１８は進入してきた光ディスクＤをシャーシケース２内へ搬入するための誘引レバーである。この排出レバー１７と誘引レバー１８は、図４に示すリンク機構１９により差動的にその先端１７ａ・１８ａが揺動するように構成されており、自動的に光ディスクＤがシャーシケース２内へ搬入されるように構成されている。
【００２６】
即ち、図２に示すように光ディスクＤがベゼル３のスロット３ａから進入してくると、
まず、光ディスクＤの前端部が排出レバー１７の先端１７ａに当接する。そして、さらに光ディスクＤの進入が促進されると排出レバー１７が揺動してその先端１７ａが後退するとともに、図４に示すリミットスイッチ２０が作動し、その信号にもとづいて、後述する光ディスクＤの搬送機構Ｃが駆動を開始する。
【００２７】
この状態に至ると、搬送機構Ｃの働きにより誘引レバー１８が揺動してその先端１８ａが光ディスクＤの後端部に当接し、さらに光ディスクＤをシャーシケース２内へ搬入して行くことになる。そして、図５に示すように、最終的に光ディスクＤの中心孔がクランプヘッド７と一致した位置で停止し、このクランプヘッド７の上下動により光ディスクＤの中心孔がクランプヘッド７にクランプされることになる。
【００２８】
一方、このようにしてシャーシケース２内に搬入された光ディスクＤを外部へ排出する場合は、ベゼル３の押釦４を操作するか、パソコンからの指令にもとづいて搬入時とは逆の駆動方向に搬送機構Ｃが駆動される。これにより、排出レバー１７が揺動し、その先端１７ａで図４に示す位置まで光ディスクＤを搬出する。
【００２９】
つぎに、上述した自動操作による光ディスクＤの搬入および搬出を司る搬送機構Ｃの構成を説明する。この搬送機構Ｃは、大別してローディングギヤユニットＧ１とラックギヤユニットＧ２の組み合わせにより構成されている。図６乃至図７は、ローディングギヤユニットＧ１の構成および動作態様を説明するための図である。同図において符号２１は自動操作の動力源となるローディングモータであり、このローディングモータ２１の出力軸にはウオームギヤ２２が同軸で回転するように固定され、このウオームギヤ２２の回転力が、ギヤベース２６に軸支されたダブルギヤ２３・２４・２５へ順次、小径ギヤから大径ギヤへ減速されながら伝達される。
【００３０】
前記ギヤ構成において、ダブルギヤ２３はウォームギヤ２２との噛合状態を解除するリリース機構を備える。これは、ダブルギヤ２３を保持しつつ上下方向にスライド可能のホルダー２７の端部２７ａが枢支ピン２８に挿通され、圧縮コイルバネ２９により下方へ付勢されて軸支されていることにより、定常の状態においては、図６（Ｃ）に示すようにウォームギヤ２２とダブルギヤ２３は正常な噛合状態となる。なお、ホルダー２７のローディングモータ２１側の端部には、ドグヘッド２７ｂが形成されており、ギヤベース２６に固定されたリミットスイッチ３０のノブ３０ａを作動可能となるようにしている。
【００３１】
前記ホルダー２７の端部２７ａの下面には枢支ピン２８と同軸で軸支されたスライダー部材３１が設けられている。このスライダー部材３１の枢支ピン２８に軸支される部分には長溝３１ａが形成されており、ホルダー２７の端部２７ａと直角方向にスライド可能となるようにしている。また、このスライダー部材３１は、前端と後端との問に傾斜面３１ｂが形成されており、スライダー部材３１を前進させたとき、この傾斜面３１ｂがホルダー２７の端部２７ａを底面から押し上げ、ホルダー２７全体が上昇する。
【００３２】
スライダー部材３１の後端には枢支ピン３２に軸支される係止段部３１ｃを備えた長溝３１ｄが形成されており、さらに後端部には封止突起３１ｅを備えた作用片３１ｆが形成されている。一方、スライダー部材３１の前端部にはラックギヤユニットＧ２の動きにもとづいて起動されるリセット片３１ｇが形成されている。
【００３３】
このように一体に構成されたスライダー部材３１は、そのフック片３１ｈとギヤベース２６のフック片２６ａとの間に引張コイルバネ３３が傾斜角を備えて張設されており、スライダー部材３１が常時後退しつつ反時計回り方向に転回するように付勢されている。
【００３４】
以上のようにスライダー部材３１が構成されていることにより、図６に示す定常状態においては、スライダー部材３１は枢支ピン２８を支点としている。この状態において、スライダー部材３１を後端部から押圧して前進させ、枢支ピン３２の位置に長溝３１ｄの係止段部３１ｃが至ると、前記引張コイルバネ３３の張力によりスライダー部材３１が枢支ピン２８を支点にして転回し、図７に示すように係止段部３１ｃと枢支ピン３２が係合してロック状態となり、その姿勢が維持されることになる。
【００３５】
つぎに、ラックギヤユニットＧ２は図８に示すように、ラック主体３４にギヤ列３４ａ・３４ｂが一体に形成されており、前記ギヤ列３４ａはローディングギヤユニットＧ１のダブルギヤ２５の小径ギヤと噛合する。したがって、ローディングモータ２１を駆動することにより、ラック主体３４はシャーシケース２内で前進または後退することになる。このようにラック主体３４を前進または後退させることにより、このラック主体３４の先端に連結されているリンク機構１９が駆動して排出レバー１７が揺動するとともに、図２に示すようにべースパネル６面でラック主体３４に連結されているレバー部材３５により誘引レバー１８が揺動されることになる。また、リンク機構１９が駆動すると、これと同期してフレーム部材８が上下動し、クランプヘッド７が光ディスクをクランプまたはクランプ解除する。
【００３６】
このように構成されたラック主体３４上には、このラック主体の先端部で前進後退するギヤ部材３６が遊動状態で配置され、このギヤ部材３６を押圧して前進させるため、前後にブロック３７ａ・３７ｂを備えた押圧ピン３７が配置されている。そして、前記ギヤ列３４ｂとギヤ部材３６を、ギヤフレーム３９に自由回転するように取り付けられているダブルギヤ３８に噛合させて連結されている。この場合、ダブルギヤ３８の大径ギヤ３８ａはギヤ列３４ｂの後端部に噛合し、小径ギヤ３８ｂは前記ブロック３７ｂと一体に成形されたギヤ部材３６の先端部に噛合するようにする。
【００３７】
したがって、押圧ピン３７を介した外力によりギヤ部材３６が前進すると、ダブルギヤ３８は定位置で回転するため、ギヤ列３４ｂに大径ギヤ３８ａの回転力が伝達し、ラック主体３４が後退する。なお、符号４０は上述したローディングギヤユニットＧ１のスライダー部材３１の前端部に形成されているリセット片３１ｇを押圧する作用片であり、ローディングギヤユニットＧ１が図７に示す状態において、この作用片４０がスライダー部材３１のリセット片３１ｇを押圧すると、枢支ピン３２と係止段部３１ｃとの係合が解除されることから、図６に示す状態に復帰する。
【００３８】
本発明の要旨となる部分は以上のごとく構成されており、かかる構成において、収容されている光ディスクＤを強制的に排出する場合の手順について以下に説明する。前述したように光ディスクＤの排出は、排出レバー１７を揺動させることにより行われるが、この排出レバー１７の揺動はラック主体３４の後退により実現されるため、ベゼル３の通孔３ｃからエマージェンシーピンＰが差し込める状態でなければならない。
【００３９】
ところが、図９に示すようにローディングギヤユニットＧ１のスライダー部材３１が定常状態の位置にあるときは、その封止突起３１ｅが通孔３ｃを塞いで操作が禁止されている状態にある。したがって、この状態にあるとき、ラック主体３４を操作することはできないので、光ディスクＤを排出しようとする使用者の認識の有無にかかわらずエマージェンシーピンＰを差し込んでも、光ディスクＤを排出することができない。
【００４０】
一方、光ディスクＤを排出しようとする明確な認識にもとづく操作の場合は、図１０に示すように、まず、ベゼル３の通孔３ｂからエマージェンシーピンＰを差し込み、ローディングギヤユニットＧ１のスライダー部材３１を押圧する。これにより、スライダー部材３１が傾倒し、通孔３ｃの封止突起３１ｅによる封止状態が解除される。このとき、スライダー部材３１の傾斜面３１ｂがホルダー２７の端部２７ａを底面から押し上げるため、
ウォームギヤ２２とダブルギヤ２３の噛合が解除され、ダブルギヤ２３・２４・２５は自由回転が可能な状態となる。このとき、スピンドルモータ１１が光ディスクを回転駆動している場合は、ホルダー２７のドグヘッド２７ｂが、ノブ３０ａを駆動してリミットスイッチ３０をオンとしたことに応じて、スピンドルモータ１１を停止させる。
【００４１】
このようにして、通孔３ｂからの操作を終了した後、通孔３ｂから引き抜いたエマージェンシーピンＰを通孔３ｃに差し込み、これを押し込むことにより、図１１に示すごとくギヤ部材３６が前進するのに伴いラック主体３４が後退し、これにより排出レバー１７が揺動して光ディスクＤを同図および図４に示すように排出することができる。
【００４２】
図１２は、ラックギヤユニットＧ２の作動機構の他の例を示す図であり、押圧ピン３７の先端をリンク機構４１のリンクアーム４１ａに連結し、このリンクアーム４１ａを押圧して支軸４２を中心に時計方向回りに回転させると、リンクアーム４１ｂが支軸４３を中心に反時計方向回りに揺動する。これにより、リンクアーム４１ｂの先端がラック主体３４の端部を押圧するので、該ラック主体３４は前進し、前述の構成と同等の機能を果たすことができる。
【００４３】
【発明の効果】
以上、詳細に説明したように本発明の請求項１記載の発明によれば、第１の解除手段と第２の解除手段を備えるようにしたので、光ディスクの排出にあたり、使用者に明確な認識を与えることが可能となることから、恣意的、あるいは暖昧な認識による誤った操作を防止することができる。また、光ディスクを排出するという明瞭な認識を使用者に強要するシステムとなり、特に、情報の記録中などにおける安全性を向上したディスク装置とすることができる。
【００４４】
請求項２記載の発明によれば、第１の解除手段を操作したとき、光ディスクの回転を停止して静止した状態で排出することができるので、光ディスクの損傷を防止できる。
【００４５】
請求項３乃至請求項４記載の発明によれば、光ディスクを装填／排出するためのローディングギヤユニットおよびラックギヤユニットで第１、第２の解除手段を構成するようにしたので、機構要素を最小限に留めることができ、製作コストの上昇を抑制することができる。
【００４６】
請求項５記載の発明によれば、光ディスクの回転を停止して強制的に筐体から排出するようにしたので、段階的操作により光ディスクを安全確実に筐体の外部へ排出可能となる。
【図面の簡単な説明】
【図１】本発明を実施したディスク装置の外観を示す斜視図である。
【図２】図１のディスク装置の内部構造を示す平面図である。
【図３】図１のディスク装置の内部構造を示す斜視図である。
【図４】図１のディスク装置の底面における内部構造を示す図である。
【図５】図１のディスク装置の動作状態を説明するための図である。
【図６】ローディングギヤユニットを説明するための図である。
【図７】ローディングギヤユニットの動作状態を説明するための図である。
【図８】ラックギヤユニットの構成を示す斜視図である。
【図９】エマージェンシー操作を説明するための図である。
【図１０】エマージェンシー操作を説明するための図である。
【図１１】エマージェンシー操作を説明するための図である。
【図１２】ラックギヤユニットの作動機構の他の例を示す図である。
【図１３】ノート型パソコンの外観を示す斜視図である。
【図１４】従来のディスク装置の外観を示す斜視図である。
【図１５】従来のディスク装置の底面における内部構造を示す図である。
【符号の説明】
１・・・・・・・・・ディスク装置
２・・・・・・・・・シャーシケース
３・・・・・・・・・ベゼル
３ａ・・・・・・・・スロット
３ｂ・３ｃ・・・・・通孔
４・・・・・・・・・押釦
５・・・・・・・・・インジケータ
６・・・・・・・・・べースパネル
７・・・・・・・・・クランプヘッド
８・・・・・・・・・フレーム部材
９・・・・・・・・・緩衝支持構造
１０・・・・・・・・ターンテーブル
１１・・・・・・・・スピンドルモータ
１２・・・・・・・・光ピックアップ
１３・・・・・・・・キャリアブロック
１４・１５・・・・・ガイドシャフト
１６・・・・・・・・スレッドモータ
１７・・・・・・・・排出レバー
１８・・・・・・・・誘引レバー
１９・・・・・・・・リンク機構
２０・・・・・・・・リミットスイッチ
２１・・・・・・・・ローディングモータ
２２・・・・・・・・ウォームギヤ
２３・２４・２５・・ダブルギヤ
２６・・・・・・・・ギヤベース
２７・・・・・・・・ホルダー
２８・・・・・・・・枢支ピン
２９・・・・・・・・圧縮コイルバネ
３０・・・・・・・・リミットスイッチ
３１・・・・・・・・スライダー部材
３２・・・・・・・・枢支ピン
３３・・・・・・・・引張コイルバネ
３４・・・・・・・・ラック主体
３５・'・・・・・・・レバー部材
３６・・・・・・・・ギヤ部材
３７・・・・・・・・押圧ピン
３８・・・・・・・・ダブルギヤ
３９・・・・・・・・ギヤフレーム
４０・・・・・・・・作用片
４１・・・・・・・・リンク機構
Ａ・・・・・・・・・駆動系ユニット
Ｂ・・・・・・・・・ヘッドユニット
Ｃ・・・・・・・・・搬送機構
Ｄ・・・・・・・・・光ディスク
Ｇ１・・・・・・・・ローディングギヤユニット
Ｇ２・・・・・・・・ラックギヤユニット